(57)【特許請求の範囲】
【請求項１】
記録対象画像に対応するトナー画像を記録紙に形成し、当該トナー画像を定着部により当該記録紙に定着させることで画像記録を行うプロッタと、前記定着部を加熱する定着用ヒータとを備えた画像記録装置において、
入力される外部電源からの電力を通常時においては所定のオン時間でオン／オフ制御してヒータ用電源として前記定着用ヒータに供給するヒータ用電源供給手段と、
前記外部電源の入力電圧を検出する入力電圧検出手段と、
その入力電圧検出手段が検出する前記外部電源の入力電圧が所定の上限電圧値以下か否かを検出する入力電圧監視手段と、
その入力電圧監視手段が、前記外部電源の入力電圧が所定の上限電圧値以下でないと検出している間は、前記ヒータ用電源供給手段でのオン／オフ制御におけるオン時間を前記所定のオン時間よりも短い時間に設定すると共に、前記プロッタの動作の禁止／許可を示す所定のデータを「禁止」に設定する異常電圧対応手段とを備えたことを特徴とする画像記録装置。
【請求項２】
記録対象画像に対応するトナー画像を記録紙に形成し、当該トナー画像を定着部により当該記録紙に定着させることで画像記録を行うプロッタと、前記定着部を加熱する定着用ヒータとを備えた画像記録装置において、
入力される外部電源からの電力をオン／オフ制御してヒータ用電源として前記定着用ヒータに供給するヒータ用電源供給手段と、
機能オンが設定されると、前記ヒータ用電源供給手段が前記定着用ヒータに供給する電力を前記外部電源の入力交流電圧の瞬時電圧が所定範囲の上限電圧または下限電圧を越えている期間中は遮断する過電圧遮断手段と、
前記外部電源の入力電圧を検出する入力電圧検出手段と、
その入力電圧検出手段が検出する前記外部電源の入力電圧が所定の上限電圧値以下か否かを検出する入力電圧監視手段と、
その入力電圧監視手段が、前記外部電源の入力電圧が所定の上限電圧値以下でないと検出している間は、前記過電圧遮断手段の機能をオンに設定すると共に前記プロッタの動作の禁止／許可を示す所定のデータを「禁止」に設定する異常電圧対応手段とを備えたことを特徴とする画像記録装置。
【請求項３】
前記入力電圧監視手段により前記入力電圧が前記所定の上限電圧値以下でないことが検出されている間は入力電圧が異常である旨を出力する出力手段を更に備えたことを特徴とする請求項１または２のいずれかに記載の画像記録装置。
【発明の詳細な説明】
【０００１】
【発明の属する技術分野】
本発明は、画像記録装置に関し、特に、記録対象画像に対応するトナー画像を記録紙に形成し、当該トナー画像を定着用ヒータにより加熱された定着部により当該記録紙に定着させることで画像記録を行うプロッタを備えた、複写機、プリンタ装置、ファクシミリ装置等の画像記録装置に関する。
【０００２】
【従来の技術】
従来の画像記録装置としてファクシミリ装置を例に挙げると、ファクシミリ装置は、動作に必要な所定電圧の電力を電源出力として装置各部に供給するための電源供給手段として、ＰＳＵ（パワーサプライユニット）を備えている。
【０００３】
そのＰＳＵは、入力される商用の交流電源等の外部電源からの電力を制御して得た電源出力を装置各部に出力する。しかし、前記外部電源の入力電圧が定格電圧（例えば、実効値で１００Ｖ）から大きく外れて、前記定格電圧よりも高くなりすぎると、前記ＰＳＵには過負荷がかかった状態となる。
【０００４】
特に、ファクシミリ装置が、受信画情報やスキャナにより読み取った画像などの記録対象画像に対応するトナー画像を記録紙に形成し、当該トナー画像を定着用ヒータにより加熱された定着部により当該記録紙に定着させることで画像記録を行う、電子写真方式のプロッタを備えたものである場合、定着用ヒータに対しても、電力を供給しなければならず、また、定着用ヒータは、消費電力量が他の装置構成要素と比較して多い。
【０００５】
【発明が解決しようとする課題】
そのため、もし、コピー動作中や、ファクシミリ受信中等のプロッタが動作している間や、プロッタが動作していないときでも定着部を所定の定着温度に維持するために、定着用ヒータに対してＰＳＵから電力を供給している最中に、前記外部電源の入力電圧が前記定格電圧から大きく外れた異常な高電圧になってしまうと、前記ＰＳＵに過大な負荷がかかり、前記ＰＳＵが故障してしまったり、定着用ヒータの異常発熱により破損や、その異常発熱に起因する周辺プロッタ系の熱故障が発生してしまうという問題がある。
【０００６】
電力事情の安定している我が国においては、前記ＰＳＵに供給される外部電源としての商用電源の電圧は、比較的安定しているが、海外には、いまだ商用電源の電圧変動が大きい地域があり、そのような電圧が不安定な地域にファクシミリ装置を設置して使用する場合には、上記問題点は現実的なものとなる。
【０００７】
特開昭６１−８２２号公報に見られる「電源電圧変動警告表示付き電子機器」のように、電源電圧の変動を検出し、その検出電圧値が所定値を超えた場合に異常発生を警告表示する回路を備えることにより、各種の電子機器における電源変動を検知可能にしてその信頼性を向上するようにした技術も提案されている。
【０００８】
しかし、その提案技術のように、電源電圧が変動して所定値を越えたことを警告表示するのみでは、ファクシミリ受信動作時やコピー動作時におけるＰＳＵ等の故障の発生を防止することはできない。
【０００９】
本発明は係る事情に鑑みてなされたものであり、外部電源の電圧変動に起因して定着用ヒータに電力を供給する電源供給手段等の故障の発生を防止できる信頼性の高い画像記録装置を提供することを目的とする。
【００１０】
【課題を解決するための手段】
上記目的を達成するため、請求項１記載の画像記録装置は、記録対象画像に対応するトナー画像を記録紙に形成し、当該トナー画像を定着部により当該記録紙に定着させることで画像記録を行うプロッタと、前記定着部を加熱する定着用ヒータとを備えた画像記録装置において、入力される外部電源からの電力を通常時においては所定のオン時間でオン／オフ制御してヒータ用電源として前記定着用ヒータに供給するヒータ用電源供給手段と、前記外部電源の入力電圧を検出する入力電圧検出手段と、その入力電圧検出手段が検出する前記外部電源の入力電圧が所定の上限電圧値以下か否かを検出する入力電圧監視手段と、その入力電圧監視手段が、前記外部電源の入力電圧が所定の上限電圧値以下でないと検出している間は、前記ヒータ用電源供給手段でのオン／オフ制御におけるオン時間を前記所定のオン時間よりも短い時間に設定すると共に、前記プロッタの動作の禁止／許可を示す所定のデータを「禁止」に設定する異常電圧対応手段とを備えたことを特徴とする。
【００１１】
請求項２記載の画像記録装置は、記録対象画像に対応するトナー画像を記録紙に形成し、当該トナー画像を定着部により当該記録紙に定着させることで画像記録を行うプロッタと、前記定着部を加熱する定着用ヒータとを備えた画像記録装置において、入力される外部電源からの電力をオン／オフ制御してヒータ用電源として前記定着用ヒータに供給するヒータ用電源供給手段と、機能オンが設定されると、前記ヒータ用電源供給手段が前記定着用ヒータに供給する電力を前記外部電源の入力交流電圧の瞬時電圧が所定範囲の上限電圧または下限電圧を越えている期間中は遮断する過電圧遮断手段と、前記外部電源の入力電圧を検出する入力電圧検出手段と、その入力電圧検出手段が検出する前記外部電源の入力電圧が所定の上限電圧値以下か否かを検出する入力電圧監視手段と、その入力電圧監視手段が、前記外部電源の入力電圧が所定の上限電圧値以下でないと検出している間は、前記過電圧遮断手段の機能をオンに設定すると共に前記プロッタの動作の禁止／許可を示す所定のデータを「禁止」に設定する異常電圧対応手段とを備えたことを特徴とする。
【００１２】
請求項３記載の画像記録装置は、請求項１または２のいずれかに記載の画像記録装置において、前記入力電圧監視手段により前記入力電圧が前記所定の上限電圧値以下でないことが検出されている間は入力電圧が異常である旨を出力する出力手段を更に備えたことを特徴とする。
【００１４】
【発明の実施の形態】
以下、添付図面を参照しながら、本発明の実施の形態を詳細に説明する。
【００１５】
先ず、図１に本発明の実施の形態に係る画像記録装置としてのファクシミリ装置１のブロック構成を示す。
【００１６】
同図において、ファクシミリ装置１は、システム制御部２、ＲＯＭ３、ＲＡＭ４、スキャナ部５、プロッタ部６、ＰＳＵ７、操作表示部８、タイマ９、画像メモリ１０、符号化復号化部１１、モデム１２、網制御部１３、及び、システムバス１４により構成されている。
【００１７】
ここで、システム制御部２は、ＲＯＭ３書き込まれた制御プログラムに従って、ＲＡＭ４を作業領域として使用しながら、装置各部を制御するマイクロコンピュータである。
【００１８】
ＲＯＭ３は、前述したように、システム制御部２が上記装置各部を制御するための制御プログラムが記憶されているリードオンリメモリである。ＲＡＭ４は、前述したようにシステム制御部２の作業領域として使用されるランダムアクセスメモリである。
【００１９】
スキャナ部５は、３．８５本／ｍｍ、７．７本／ｍｍ、１５．４本／ｍｍ等の所定の読み取り線密度で原稿画像を読み取って画像データを得るためのものである。プロッタ部６は、受信した画像を、その線密度に応じて記録出力したり、スキャナ部５で読み取った画像を、その線密度に応じて記録出力（コピー動作）するためのものである。
【００２０】
なお、プロッタ部６は、記録対象画像に対応するトナー画像を記録紙に形成し、当該トナー画像を定着用ヒータである、後述するハロゲンランプヒータ６ａにより加熱された図示しない定着部により当該記録紙に定着させることで画像記録を行う、電子写真方式のプロッタである。
【００２１】
ＰＳＵ７は、入力される外部電源としての商用交流電源からの電力を変換して得た電源出力を装置各部に供給するためのものであり、後述するプロッタ６のハロゲンランプヒータ６ａを駆動するためのヒータ用交流電源Ｖｈと、ヒータ６ａ以外の装置各部を動作させるための駆動電源Ｖｄとの２系統の電源出力を有している。なお、ＰＳＵ７の内部構成については後述する。
【００２２】
操作部表示部８は、宛先電話番号を指定するためのテンキー、スタートキー、ワンタッチダイヤルキー、及び、その他各種設定キーが配設され、ユーザによる各種操作を受け入れると共に、液晶表示装置等の表示器を備え、ユーザに知らせるべき装置の動作状態や、各種メッセージを表示するものである。また、操作表示部８には、図２に示すように、点灯状態が、電源電圧異常、すなわち、商用交流点源Ｐの入力電圧の異常を示す、発光ダイオード８ａが配設されている。
【００２３】
タイマ９は、システム制御部２により設定された時間が経過する毎にシステム制御部２に対してタイマ割込みを行うものである。画像メモリ１０は、スキャナ部５で読み取った画像データを、ファイルとして一時的に蓄積したり、受信した画像データを、ファイルとして一時的に蓄積したりするためのものである。
【００２４】
符号化復号化部１１は、送信画像データを、Ｇ３ファクシミリに適合する、ＭＨ符号化方式やＭＲ符号化方式等の所定の符号化方式で符号化圧縮する一方、受信画像データをＭＨ符号化方式やＭＲ符号化方式に対応する所定の復号化方式で復号伸長するものである。
【００２５】
モデム１２は、Ｇ３ファクシミリモデムであり、送信データを変調する一方、受信データを復調するものである。また、モデム１２は、入力されたダイヤル番号に対応してＤＴＭＦ信号の送出も行う。網制御部１３は、電話回線２０に接続されて、回線の直流ループの閉結・解放や、回線の極性反転の検出、回線解放の検出、発信音の検出、ビジートーン（話し中）等のトーン信号の検出、呼出信号の検出等の回線との接続制御や、ダイヤルパルスの生成を行うものである。システムバス１４は、上記各部がデータをやり取りするための信号ラインである。
【００２６】
ＰＳＵ７の内部構成について、図３に示す。同図において、外部電源としての商用交流電源Ｐからの交流電圧はフューズＦを介して交流／直流低電圧変換部３１、及び、ヒータ電源ＯＮ／ＯＦＦ部３２に入力される。交流／直流低電圧変換部３１においては、商用交流電源Ｐからの交流電圧が直流定電圧の駆動用電源ｄに変換されて、プロッタ部６のハロゲンランプヒータ６ａ以外の装置各部に供給される。ヒータ電源ＯＮ／ＯＦＦ部３２においては、商用交流電源Ｐからの交流電圧がＯＮ／ＯＦＦ制御されて、ヒータ用交流電源Ｖｈとして、プロッタ部６のヒータ６ａに供給される。
【００２７】
また、入力電圧検出回路３０は、商用交流電源Ｐの入力電圧の実効値をＡ／Ｄ変換して得た入力電圧検出信号Ｖｉｎをシステムバス１４を介してシステム制御部２に通知するためのものである。
【００２８】
図４に、ヒータ電源ＯＮ／ＯＦＦ部３２の構成を示す。同図において、商用交流電源ＰからのＡＣ入力は、トライアックＴを介してヒータ６ａに供給される。トライアックＴは、フォトトライアックＰＴ内の発光ダイオードの点灯によりＯＮされ、消灯によりＯＦＦされる。フォトトライアックＰＴ内の発光ダイオードの点灯／消灯は、駆動電源ＶｄのトランジスタＱ１のＯＮ／ＯＦＦにより制御される。トランジスタＱ１のＯＮ／ＯＦＦは、比較器ＣＰの非反転入力端子（＋）の入力電圧が、反転入力端子（−）の入力電圧を越えるとＯＮされ、越えないとＯＦＦされる。比較器ＣＰの非反転入力端子（＋）には、駆動電源Ｖｄに抵抗Ｒ２を介して接続されたツェナダイオードＺＤ２の電圧がコンデンサＣ２により安定化されたものが入力される。また、比較器ＣＰの反転入力端子（−）には、駆動電源Ｖｄに抵抗Ｒ２を介して接続されたツェナダイオードＺＤ２の電圧がコンデンサＣ２により安定化されたものが抵抗３及び抵抗Ｒ４により分圧された電圧が入力される。だたし、抵抗Ｒ３と抵抗Ｒ４との間には、フォトカプラＰＣ内のフォトトランジスタが介在し、比較器ＣＰの反転入力端子（−）には、商用交流電源ＰからのＡＣ入力が所定範囲を越えた場合に点灯するフォトカプラＰＣ内の発光ダイオードが、点灯したときにだけ、抵抗３及び抵抗Ｒ４により分圧されたツェナダイオードＺＤ２の電圧が入力される。また、負論理の電圧制限信号のＬｏｗ／Ｈｉｇｈにより、抵抗Ｒ４に並列接続されたトランジスタＱ３がＯＦＦ／ＯＮされ、電圧制限信号がＨｉｇｈでトランジスタＱ３がＯＮされると、抵抗Ｒ４が短絡される。また、負論理のＯＮ／ＯＦＦ信号のＬｏｗ／Ｈｉｇｈにより、ツェナダイオードＺＤ２に並列接続されたトランジスタＱ２がＯＦＦ／ＯＮされ、ＯＮ／ＯＦＦ信号がＨｉｇｈでトランジスタＱ３がＯＮされると、ツェナダイオードＺＤ２が短絡される。
【００２９】
つまり、ＯＮ／ＯＦＦ信号がＯＮ（Ｌｏｗ）の場合には、ツェナダイオードＺＤ２の電圧が、比較器ＣＰの非反転入力端子（＋）に入力され、比較器ＣＰの出力はＨｉｇｈとなり、トランジスタＱ１がＯＮしてフォトトライアックＰＴがＯＮとなり、トライアックＴがＯＮしてＡＣ入力がヒータ６ａに供給される。逆に、ＯＮ／ＯＦＦ信号がＯＦＦ（Ｈｉｇｈ）の場合には、ほぼグラウンドレベルの電圧が、比較器ＣＰの非反転入力端子（＋）に入力され、比較器ＣＰの出力はＬｏｗとなり、トランジスタＱ１がＯＦＦしてフォトトライアックＰＴがＯＦＦとなり、トライアックＴがＯＦＦしてＡＣ入力のヒータ６ａへの供給が停止される。
【００３０】
また、電圧制限信号がＯＮ（Ｌｏｗ）の場合には、商用交流電源ＰからのＡＣ入力が所定範囲を越えた場合に点灯するフォトカプラＰＣ内の発光ダイオードが点灯したときには、抵抗３及び抵抗Ｒ４により分圧されたツェナダイオードＺＤ２の電圧が入力され、比較器ＣＰの反転入力端子（−）に入力され、フォトカプラＰＣ内の発光ダイオードが消灯したときには、ほぼグラウンドレベルの電圧が比較器ＣＰの反転入力端子（−）に入力される。つまり、電圧制限信号がＯＮ（Ｌｏｗ）の場合には、商用交流電源ＰからのＡＣ入力が所定範囲を越えない場合にのみ比較器ＣＰの出力はＨｉｇｈとなり、トランジスタＱ１がＯＮしてフォトトライアックＰＴがＯＮとなり、トライアックＴがＯＮしてＡＣ入力がヒータ６ａに供給される。逆に、電圧制限信号がＯＦＦ（Ｈｉｇｈ）の場合には、商用交流電源ＰからのＡＣ入力の電圧範囲に関わらず、ほぼグラウンドレベルの電圧が比較器ＣＰの反転入力端子（−）に入力される。つまり、電圧制限信号がＯＦＦ（Ｈｉｇｈ）の場合には、商用交流電源ＰからのＡＣ入力の電圧範囲に関わらず、比較器ＣＰの出力はＯＮ／ＯＦＦ信号のＬｏｗ／Ｈｉｇｈに応じてＨｉｇｈ／Ｌｏｗとなり、トランジスタＱ１がＯＮ／ＯＦＦしてフォトトライアックＰＴがＯＮ／ＯＦＦとなり、トライアックＴがＯＮ／ＯＦＦしてＡＣ入力がヒータ６ａに供給され、または、供給が停止される。
【００３１】
次に、以上のように構成されるファクシミリ装置１において行われる本発明に係る各処理手順ついて説明する。
【００３２】
先ず、入力電源電圧確認処理手順について、図５を参照して説明する。なお、同図に示す処理手順は、タイマ９からの一定時間毎のタイマ割込みがある毎に、他の処理を実行中であっても定期的に行われるものである。
【００３３】
同図において、システム制御部２は、タイマ割込みがあると先ず、ＰＳＵ７からの入力電圧検出信号Ｖｉｎを確認する（処理１０１）。そして、入力電圧検出信号Ｖｉｎが、所定の上限電圧値Ｖｍａｘ（例えば１１０Ｖ）以下の許容範囲内にあるかを判断する（判断１０２）。許容範囲内にある場合（判断１０２のＹｅｓ）には、電圧異常フラグＦを０にリセットし（処理１０３）、許容範囲外である場合（判断１０２のＮｏ）、すなわち、入力電圧検出信号Ｖｉｎが、所定の上限電圧値Ｖｍａｘ以上の場合には、電圧異常フラグＦに１をセットする（処理１０４）。電圧異常フラグＦは、ＲＡＭ４に記憶され、システム制御部２は、ＲＡＭ４を随時読み出すことで、現在商用交流電源Ｐの入力電圧が許容範囲内で正常なのか、許容範囲外で異常なのかを知ることができる。
【００３４】
次に、ファクシミリ装置１における第１、第２及び第３実施形態に係るヒータ制御手順について説明する。
【００３５】
先ず、第１実施形態に係るヒータ制御手順について、図６を参照して説明する。
【００３６】
同図において、システム制御部２は、ＰＳＵ７のヒータ電源ＯＮ／ＯＦＦ部３２に与える電圧制限信号をＨｉｇｈにして電圧制限は行わない状態で、ヒータ電源ＯＮ／ＯＦＦ部３２に与えるＯＮ／ＯＦＦ信号をＨｉｇｈ／Ｌｏｗに切り替えることで、ハロゲンランプヒータ６ａに供給されるヒータ用交流電源Ｖｈの電力量を制御して、プロッタ部６の図示しない定着部の温度をほぼ一定に保つ定着温度制御を行いつつ、図５に示した入力電源電圧確認処理手順により随時更新されている電圧異常フラグＦの値が１であるか、すなわち、現在の商用交流電源Ｐの入力電圧が異常であるか否かを監視する（処理２０１、判断２０２のＮｏループ）。
【００３７】
そして、定着温度制御中に商用交流電源Ｐの入力電圧が異常となったために電圧異常フラグＦの値が１となった場合には（判断２０２のＹｅｓ）、ファクシミリ受信動作中やコピー動作中であるために、現在プロッタ部６が動作中であるかを判断し（判断２０３）、動作中でない場合には（判断２０３のＮｏ）、処理２０５に移行するが、動作中である場合には（判断２０３のＹｅｓ）、プロッタ部６の動作を停止してから処理２０５に移行する。
【００３８】
処理２０５では、プロッタ動作禁止フラグを１にセットする。このプロッタ動作禁止フラグは、ファクシミリ受信動作やコピー動作のためにプロッタ部６を動作させようとするときに参照されるもので、システム制御部２は、プロッタ動作禁止フラグの値が１である場合には、プロッタ部６の動作開始を禁止し、プロッタ動作禁止フラグの値が０である場合には、プロッタ部６の動作開始を許可する。
【００３９】
そして、ヒータ電源ＯＮ／ＯＦＦ部３２に与えるＯＮ／ＯＦＦ信号をＨｉｇｈにすることで、ヒータ６ａへの電力供給をＯＦＦする（処理２０６）。これにより、商用交流電源Ｐの入力電圧の異常によりＰＳＵ７が故障したり、ヒータ６ａが異常加熱したり、その異常加熱によりプロッタ系の部品が破損したりすることがなくなる。
【００４０】
また、入力電圧異常の旨を操作表示部８の発光ダイオード８ａを点灯させることで表示出力する（処理２０８）。なお、入力電圧異常の旨の出力形態としては、ブザー音等の音声による出力形態であってもよい。これにより、オペレータに対して商用交流電源Ｐの入力電圧が現在異常であることを知らせることができる。
【００４１】
処理２０６及び処理２０７は、商用交流電源Ｐの入力電圧が正常に戻って電圧異常フラグＦの値が０になるまで継続される（処理２０６、処理２０７、判断２０８のＮｏループ）。
【００４２】
そして、商用交流電源Ｐの入力電圧が正常に戻って電圧異常フラグＦの値が０になると（判断２０８のＹｅｓ）、処理２０７で点灯した発光ダイオード８ａを消灯して、入力電圧異常の旨の表示を消すと共に（処理２０９）、処理２０５で１にセットしたプロッタ動作禁止フラグを０にリセットしてプロッタ部６の動作を許可して、処理２０１の定着温度制御処理に戻る。
【００４３】
次に、第２実施形態に係るヒータ制御手順について、図７を参照して説明する。
【００４４】
同図において、システム制御部２は、ＰＳＵ７のヒータ電源ＯＮ／ＯＦＦ部３２に与える電圧制限信号をＨｉｇｈにして電圧制限は行わない状態で、ヒータ電源ＯＮ／ＯＦＦ部３２に与えるＯＮ／ＯＦＦ信号をＨｉｇｈ／Ｌｏｗに切り替えることで、ハロゲンランプヒータ６ａに供給されるヒータ用交流電源Ｖｈの電力量を制御して、プロッタ部６の図示しない定着部の温度をほぼ一定に保つ定着温度制御を行いつつ、図５に示した入力電源電圧確認処理手順により随時更新されている電圧異常フラグＦの値が１であるか、すなわち、現在の商用交流電源Ｐの入力電圧が異常であるか否かを監視する（処理３０１、判断３０２のＮｏループ）。なお、処理３０１における定着温度制御におけるＯＮ時間、すなわち、ヒータ電源ＯＮ／ＯＦＦ部３２に与えるＯＮ／ＯＦＦ信号をＬｏｗにしている時間は、Ｔｏｎであるとする。
【００４５】
そして、定着温度制御中に商用交流電源Ｐの入力電圧が異常となったために電圧異常フラグＦの値が１となった場合には（判断３０２のＹｅｓ）、ファクシミリ受信動作中やコピー動作中であるために、現在プロッタ部６が動作中であるかを判断し（判断３０３）、動作中でない場合には（判断３０３のＮｏ）、処理３０５に移行するが、動作中である場合には（判断３０３のＹｅｓ）、プロッタ部６の動作を停止してから処理３０５に移行する。
【００４６】
処理３０５では、プロッタ動作禁止フラグを１にセットする。このプロッタ動作禁止フラグは、ファクシミリ受信動作やコピー動作のためにプロッタ部６を動作させようとするときに参照されるもので、システム制御部２は、プロッタ動作禁止フラグの値が１である場合には、プロッタ部６の動作開始を禁止し、プロッタ動作禁止フラグの値が０である場合には、プロッタ部６の動作開始を許可する。
【００４７】
そして、ヒータ電源ＯＮ／ＯＦＦ部３２に与えるＯＮ／ＯＦＦ信号をＬｏｗにする時間、すなわち、ＯＮ時間を、処理３０１におけるＴｏｎよりも短い、Ｔｏｎ／２に設定して、処理３０１と同様の定着温度制御を行う（処理３０６）。これにより、商用交流電源Ｐの入力電圧の異常によりＰＳＵ７が故障したり、ヒータ６ａが異常加熱したり、その異常加熱によりプロッタ系の部品が破損したりすることがなくなる。
【００４８】
また、入力電圧異常の旨を操作表示部８の発光ダイオード８ａを点灯させることで表示出力する（処理３０８）。なお、入力電圧異常の旨の出力形態としては、ブザー音等の音声による出力形態であってもよい。これにより、オペレータに対して商用交流電源Ｐの入力電圧が現在異常であることを知らせることができる。
【００４９】
処理３０６及び処理３０７は、商用交流電源Ｐの入力電圧が正常に戻って電圧異常フラグＦの値が０になるまで継続される（処理３０６、処理３０７、判断３０８のＮｏループ）。
【００５０】
そして、商用交流電源Ｐの入力電圧が正常に戻って電圧異常フラグＦの値が０になると（判断３０８のＹｅｓ）、処理３０７で点灯した発光ダイオード８ａを消灯して、入力電圧異常の旨の表示を消すと共に（処理３０９）、処理３０５で１にセットしたプロッタ動作禁止フラグを０にリセットしてプロッタ部６の動作を許可して、処理３０１の定着温度制御処理に戻る。なお、このとき、処理３０６により、ＯＮ時間は短いながらも定着温度制御が行われているため、処理３０１に戻ってからの定着温度制御における正規の温度への復帰を早めることができる。
【００５１】
次に、第３実施形態に係るヒータ制御手順について、図８を参照して説明する。
【００５２】
同図において、システム制御部２は、ＰＳＵ７のヒータ電源ＯＮ／ＯＦＦ部３２に与える電圧制限信号をＨｉｇｈにして電圧制限は行わない状態で、ヒータ電源ＯＮ／ＯＦＦ部３２に与えるＯＮ／ＯＦＦ信号をＨｉｇｈ／Ｌｏｗに切り替えることで、ハロゲンランプヒータ６ａに供給されるヒータ用交流電源Ｖｈの電力量を制御して、プロッタ部６の図示しない定着部の温度をほぼ一定に保つ定着温度制御を行いつつ、図５に示した入力電源電圧確認処理手順により随時更新されている電圧異常フラグＦの値が１であるか、すなわち、現在の商用交流電源Ｐの入力電圧が異常であるか否かを監視する（処理４０１、判断４０２のＮｏループ）。
【００５３】
そして、定着温度制御中に商用交流電源Ｐの入力電圧が異常となったために電圧異常フラグＦの値が１となった場合には（判断４０２のＹｅｓ）、ファクシミリ受信動作中やコピー動作中であるために、現在プロッタ部６が動作中であるかを判断し（判断４０３）、動作中でない場合には（判断４０３のＮｏ）、処理４０５に移行するが、動作中である場合には（判断４０３のＹｅｓ）、プロッタ部６の動作を停止してから処理４０５に移行する。
【００５４】
処理４０５では、プロッタ動作禁止フラグを１にセットする。このプロッタ動作禁止フラグは、ファクシミリ受信動作やコピー動作のためにプロッタ部６を動作させようとするときに参照されるもので、システム制御部２は、プロッタ動作禁止フラグの値が１である場合には、プロッタ部６の動作開始を禁止し、プロッタ動作禁止フラグの値が０である場合には、プロッタ部６の動作開始を許可する。
【００５５】
そして、ヒータ電源ＯＮ／ＯＦＦ部３２に与える電圧制限信号をＬｏｗにすることで、ヒータ電源ＯＮ／ＯＦＦ部３２の電圧制限機能をＯＮに設定してから（処理４０６）、処理４０１と同様の定着温度制御を行う（処理４０７）。
【００５６】
図９に、処理４０６によりヒータ電源ＯＮ／ＯＦＦ部３２の電圧制限機能がＯＮに設定された状態で行われる、処理４０７の定着温度制御により、ヒータ６ａに供給されるヒータ用交流電源Ｖｈの電圧波形を示す。
【００５７】
同図において、部分的に点線を含む実線で示される入力交流電圧は、ヒータ電源ＯＮ／ＯＦＦ部３２の電圧制限機能により、所定範囲の上限電圧または下限電圧を越えた点線の期間においては遮断されてヒータ６ａには供給されない。
【００５８】
これにより、商用交流電源Ｐの入力電圧の異常によりＰＳＵ７が故障したり、ヒータ６ａが異常加熱したり、その異常加熱によりプロッタ系の部品が破損したりすることがなくなる。
【００５９】
また、入力電圧異常の旨を操作表示部８の発光ダイオード８ａを点灯させることで表示出力する（処理４０８）。なお、入力電圧異常の旨の出力形態としては、ブザー音等の音声による出力形態であってもよい。これにより、オペレータに対して商用交流電源Ｐの入力電圧が現在異常であることを知らせることができる。
【００６０】
処理４０７及び処理４０８は、商用交流電源Ｐの入力電圧が正常に戻って電圧異常フラグＦの値が０になるまで継続される（処理４０７、処理４０８、判断４０９のＮｏループ）。
【００６１】
そして、商用交流電源Ｐの入力電圧が正常に戻って電圧異常フラグＦの値が０になると（判断４０９のＹｅｓ）、処理４０８で点灯した発光ダイオード８ａを消灯して、入力電圧異常の旨の表示を消すと共に（処理４１０）、処理４０６でＯＮに設定したヒータ電源ＯＮ／ＯＦＦ部３２の電圧制限機能を、電圧制限信号をＨｉｇｈにすることでＯＦＦに設定し、また、処理４０５で１にセットしたプロッタ動作禁止フラグを０にリセットしてプロッタ部６の動作を許可して、処理４０１の定着温度制御処理に戻る。なお、このとき、処理４０７により、ＯＮ／ＯＦＦ信号をＯＮ（Ｌｏｗ）にしている期間における電圧制限はあるものの、定着温度制御が行われているため、処理４０１に戻ってからの定着温度制御における正規の温度への復帰を早めることができる。
【００６２】
なお、以上説明した実施の形態においては、ファクシミリ装置に対して本発明を適用したが、構成として定着部を含むプロッタを備え、その定着部を加熱するためのヒータ（ハロゲンランプに限定されない）を備えたものであれば、複写機、プリンタ装置等のその他の画像記録装置に対しても本発明は同様に適用可能なものである。
【００６３】
【発明の効果】
請求項１に係る発明によれば、前記外部電源の入力電圧が所定の上限電圧値以下でない間は、前記定着用ヒータへ電力を供給する、前記ヒータ用電源供給手段におけるオン／オフ制御のオン時間が通常時における前記所定のオン時間よりも短い時間に設定されると共に、前記プロッタの動作の禁止／許可を示す所定のデータが「禁止」に設定されるため、前記外部電源の入力電圧が異常な高電圧になったための、前記ヒータ用電源供給手段の故障や、前記定着用ヒータの異常発熱により破損や、その異常発熱に起因する周辺プロッタ系の熱故障の発生を防止でき、装置の信頼性を高めることが可能となる効果が得られる。また、前記定着用ヒータには、オン時間は短縮されるものの前記外部電源の入力電圧が所定の上限電圧値以下でない間にも電力供給が継続されるため、前記外部電源の入力電圧が所定の上限電圧値以下に復帰したときにおける前記定着部の所定の定着温度への復帰時間を短縮でき、前記プロッタが迅速に記録動作可能な状態に復帰できるようになる利点がある。
【００６４】
請求項２に係る発明によれば、前記外部電源の入力電圧が所定の上限電圧値以下でない間は、前記定着用ヒータに供給させる電力が、前記外部電源の入力交流電圧の瞬時電圧が所定範囲の上限電圧または下限電圧を越えている期間中は遮断されると共に、前記プロッタの動作の禁止／許可を示す所定のデータが「禁止」に設定されるため、前記外部電源の入力電圧が異常な高電圧になったための、前記ヒータ用電源供給手段の故障や、前記定着用ヒータの異常発熱により破損や、その異常発熱に起因する周辺プロッタ系の熱故障の発生を防止でき、装置の信頼性を高めることが可能となる効果が得られる。また、前記定着用ヒータには、前記外部電源の入力交流電圧の瞬時電圧が所定範囲の上限電圧または下限電圧を越えている期間中は遮断されるものの、その期間以外では電力供給が継続されるため、前記外部電源の入力交流電圧の瞬時電圧が所定範囲の上限電圧または下限電圧を越えない範囲に復帰したときにおける前記定着部の所定の定着温度への復帰時間を短縮でき、前記プロッタが迅速に記録動作可能な状態に復帰できるようになる利点がある。
【００６５】
請求項３に係る発明によれば、前記入力電圧監視手段により前記入力電圧が前記所定の上限電圧値以下でないことが検出されている間は前記出力手段により入力電圧が異常である旨が出力されるため、現在の入力電圧が許容範囲内であるのか許容範囲外であるのかをオペレータに知らせることができる効果が得られる。
【図面の簡単な説明】
【図１】本発明の実施の形態に係るファクシミリ装置のブロック構成を示す図である。
【図２】本発明の実施の形態に係るファクシミリ装置の操作表示部の一部を示す図である。
【図３】本発明の実施の形態に係るファクシミリ装置のＰＳＵの内部構成を示す図である。
【図４】本発明の実施の形態に係るファクシミリ装置のＰＳＵのヒータ電源ＯＮ／ＯＦＦ部の内部構成を示す図である。
【図５】本発明の実施の形態に係るファクシミリ装置における入力電源電圧確認処理手順を示すフローチャートである。
【図６】本発明の実施の形態に係るファクシミリ装置における第１実施形態に係るヒータ制御手順を示すフローチャートである。
【図７】本発明の実施の形態に係るファクシミリ装置における第２実施形態に係るヒータ制御手順を示すフローチャートである。
【図８】本発明の実施の形態に係るファクシミリ装置における第３実施形態に係るヒータ制御手順を示すフローチャートである。
【図９】本発明の実施の形態に係るファクシミリ装置における第３実施形態に係るヒータ制御手順によるヒータ電源のＯＮ／ＯＦＦ状態について示す模式図である。
【符号の説明】
１  ファクシミリ装置
２  システム制御部
３  ＲＯＭ
４  ＲＡＭ
５  スキャナ部
６  プロッタ部
６ａ  ヒータ
７  ＰＳＵ
８  操作表示部
８ａ  発光ダイオード
９  タイマ
１０  画像メモリ
１１  符号化復号化部
１２  モデム
１３  網制御部
１４  システムバス
３０  入力電圧検出回路
３１  交流／直流定電圧変換部
３２  ヒータ電源ＯＮ／ＯＦＦ部
Ｃ１、Ｃ２  コンデンサ
Ｆ  ヒューズ
Ｐ  商用電源
ＰＣ  フォトカプラ
ＰＴ  フォトトライアック
Ｑ１、Ｑ２、Ｑ３  トランジスタ
Ｒ１、Ｒ２、Ｒ３、Ｒ４  抵抗
Ｔ  トライアック
ＺＤ１、ＺＤ２  ツェナダイオード
【図１】
0003833392.tif 000002
【図２】
0003833392.tif 000003
【図３】
0003833392.tif 000004
【図４】
0003833392.tif 000005
【図５】
0003833392.tif 000006
【図６】
0003833392.tif 000007
【図７】
0003833392.tif 000008
【図８】
0003833392.tif 000009
【図９】
0003833392.tif 000010